(57)【要約】【課題】より容易に風量を調整することが可能な空気調和装置を提供する。【解決手段】筐体１０内を送風機３０が設置された送風機側領域Ｒ２と熱交換器２０が設置された熱交換器側領域Ｒ１に区画するとともに、送風機３０の送風を熱交換器側領域Ｒ１に導入する送風用孔部５１ａ、及び、熱交換器側領域Ｒ１の空気を送風機側領域Ｒ２における送風機３０の吸気側に還流させる還流用孔部５１ｂが形成された仕切り板５０と、還流用孔部５１ｂの少なくとも一部を閉塞する還流用孔閉塞部６０とを備える。【選択図】図２
2016099034.tif 000002
【特許請求の範囲】
【請求項１】
前面に、室内空調用開口部、及び、該室内空調用開口部よりも開口面積の小さいスポット用開口部が形成された筐体と、
該筐体内に設けられた送風機と、
前記筐体内における前記送風機よりも前面側に設けられた熱交換器と、
前記筐体内を前記送風機が設置された送風機側領域と前記熱交換器が設置された熱交換器側領域に区画するとともに、前記送風機の送風を前記熱交換器側領域に導入する送風用孔部、及び、熱交換器側領域の空気を前記送風機側領域における前記送風機の吸気側に還流させる還流用孔部が形成された仕切り板と、
前記還流用孔部の少なくとも一部を閉塞する還流用孔閉塞部とを備える空気調和装置。
【請求項２】
前記スポット用開口部の少なくとも一部を閉塞可能なスポット用開口閉塞部を備える請求項１に記載の空気調和装置。
【請求項３】
前記筐体の下面に、前記送風機側領域と前記筐体の外部とを連通させる吸込み口が形成され、
前記仕切り板は、
筐体の内側の上面から下方に向かって延びて前記送風用孔部及び前記還流用孔部が形成された第１仕切り面と、
前記第１仕切り面の下端から前面側に向かって延びるとともに、前記吸入用開口部に対向する第２仕切り面とを、有する請求項１又は２に記載の空気調和装置。
【請求項４】
前記空気調和装置は、
天井に据え付けられる天吊形空気調和装置であることを特徴とする請求項１から３の何れか１項に記載の空気調和装置。
【請求項５】
請求項１に記載の空気調和装置の調整方法であって、
前記空気調和装置が設置される設置個所の環境に応じて、前記還流用孔閉塞部による前記還流用孔部の閉塞面積を決定する工程と、  
該決定した前記還流用孔部の閉塞面積となるように、前記還流用孔閉塞部によって前記還流用孔部の少なくとも一部を閉塞する工程と、
を含む空気調和装置の調整方法。
【請求項６】
請求項５に記載の空気調和装置の調整方法によって、請求項１に記載の前記空気調和装置を調整する工程と、
前記空気調和装置を設置個所に設置する工程と、
を含む空気調和設備の製造方法。
【請求項７】
請求項２に記載の空気調和装置の調整方法であって、
前記空気調和装置が設置される設置個所の環境に応じて、前記スポット用開口部の閉塞面積を決定する工程と、  
該決定した前記スポット用開口部の閉塞面積となるように、スポット用開口閉塞部によって前記スポット用開口部の少なくとも一部を閉塞する工程と、
スポット用開口部の閉塞面積を大きくする程、前記還流用孔部の閉塞面積を小さくするといった相関関係に基づいて、前記決定したスポット用開口部の閉塞面積に応じて前記還流用孔部の閉塞面積を決定する工程と、
該決定した前記還流用孔部の閉塞面積となるように、前記還流用孔閉塞部によって前記還流用孔部の少なくとも一部を閉塞する工程と、
を含む空気調和装置の調整方法。
【請求項８】
請求項７に記載の空気調和装置の調整方法によって、請求項２に記載の前記空気調和装置を調整する工程と、
前記空気調和装置を設置個所に設置する工程と、
を含む空気調和設備の製造方法。
【発明の詳細な説明】
【技術分野】
【０００１】
本発明は、空気調和装置、空気調和装置の調整方法及び空気調和設備の製造方法に関する。
【背景技術】
【０００２】
空気調和装置の室内ユニットの１つの形状として、天井吊り下げ形の天吊形空気調和装置が知られている。
例えば特許文献１には、室内空気を冷媒と熱交換させる室内熱交換器及び送風機を天井に据え付けた筐体に収容した構造をなす天吊形空気調和装置が開示されている。この天吊形空気調和装置では、筐体の後部下面または後部背面に吸込み口が設けられており、筐体の前部に設けられた吹き出し口から空調空気を室内へ供給する。
【０００３】
さらに、特許文献１には、天吊形空気調和装置の吹き出し口が筐体の横方向全幅に渡る横に長い形状である点、及び、吹き出し口に風向板が設けられて該風向板が上下方向に回動することで風向を制御可能な点が開示されている。
【０００４】
上記のような、天吊形空気調和装置の筐体の前部に設けられ、筐体の横方向全幅に渡るような横に長い構成の直吹き出し口は、広範囲に吹き出し室内全体に空調空気を供給するための形状である。
【０００５】
一方で、例えば厨房の空調を目的とした空気調和装置の給気を考えた場合、厨房には通常加熱装置が設置されており該加熱装置付近では局所的に室温が高温となるといったことを考慮する必要がある。このように高温熱源のある室内空間に対し空調を行う場合は、室内全体の空調と同時にスポットダクトによる局所空調機能へのニーズも存在する。そこでこのようなニーズに対し、天吊形空気調和装置の直吹き出し口にスポットダクトも併設した、スポットダクト併設型の空調機が提案されている。スポットダクト併設型の空気調和機としては、横に長い直吹き出し口の両端部２か所にスポットダクトを配設した構成が知られている。
【０００６】
直吹き出し口にスポットダクトも併設した場合、直吹き出しに比べ、スポットダクトは高風量・高静圧で運転した方が効果的であるため、ユニット内部の風量を調節する必要性が生じる。
【０００７】
ここで、風量調整手段として、例えば特許文献２のように、ユニット内に複数の送風機を互いに前後になるように配置し、一部の送風機のモータを低回転させて該送風機のみの風量を低減する技術が知られている。
【先行技術文献】
【特許文献】
【０００８】
【特許文献１】特開２００９−１３９０４６号公報
【特許文献２】特開２０１０−１１７０６２号公報
【発明の概要】
【発明が解決しようとする課題】
【０００９】
しかしながら、特許文献２の技術のように送風機の回転数制御を行った場合、周波数変換制御装置が必要となり、装置全体が複雑かつ高コストとなってしまう。
【００１０】
本発明は、上記課題を解決するためになされたものであって、より容易に風量を調整することが可能な空気調和装置、空気調和装置の調整方法及び空気調和設備の製造方法を提供することを目的とする。
【課題を解決するための手段】
【００１１】
上記課題を解決するために、本発明は以下の手段を採用している。
すなわち、本発明の一態様に係る空気調和装置は、前面に、室内空調用開口部、及び、該室内空調用開口部よりも開口面積の小さいスポット用開口部が形成された筐体と、該筐体内に設けられた送風機と、前記筐体内における前記送風機よりも前面側に設けられた熱交換器と、前記筐体内を前記送風機が設置された送風機側領域と前記熱交換器が設置された熱交換器側領域に区画するとともに、前記送風機の送風を前記熱交換器側領域に導入する送風用孔部、及び、熱交換器側領域の空気を前記送風機側領域における前記送風機の吸気側に還流させる還流用孔部が形成された仕切り板と、前記還流用孔部の少なくとも一部を閉塞する還流用孔閉塞部とを備えることを特徴とする。
【００１２】
この構成によれば、還流用孔閉塞部により還流用孔部を閉塞すると、送風機側領域から熱交換器側領域へ高風量、高静圧で吹き出すことができ、スポット用開口部からの給気に要求される風量、風圧を確保することができる。
【００１３】
また、上記の空気調和装置は、前記スポット用開口部の少なくとも一部を閉塞可能なスポット用開口閉塞部を備るものであっても良い。
【００１４】
この構成によれば、スポット用開口部からの給気がメインではない場合には、スポット用開口閉塞部によりスポット用開口部を閉塞し、還流用孔部の還流用孔閉塞部により閉塞されていない部分によって、熱交換器側領域に送風された空気の一部を送風機側領域に還流することで、直吹き出しに応じた風量に調整することができる。
【００１５】
また、上記の空気調和装置は、前記筐体の下面に、室内空気を前記送風機側領域に吸い込む、吸込み口が形成され、前記仕切り板は、筐体の内側の上面から下方に向かって延びて前記送風用孔部及び前記還流用孔部が形成された第１仕切り面と、前記第１仕切り面の下端から前面側に向かって延びる第２仕切り面とを、有するものであっても良い。
【００１６】
この構成によれば、室内空気の吸込みによる送風機側領域の圧力に対し、還流用孔部からの還流空気圧力が確保でき、還流量を確保することができる。第２仕切り面に還流用孔部が設けられていた場合、室内から送風機側領域への室内空気の吸込み圧力の影響が大きい。このため、還流用孔部の開口面において、熱交換器側領域から還流する空気の圧力に対し、逆向きの送風機側領域からの圧力が、第１仕切り面に還流用孔部が設けられていた場合に比べ、大きくなりやすく、還流が十分に行われない事となる。
【００１７】
また、上記の空気調和装置は、天井に据え付けられる、天吊形空気調和装置であっても良い。
【００１８】
この構成によれば、天吊形空気調和装置で直吹きと局所空調を同時に行う事ができ、局所空調の風量、風圧を確保することができる。
【００１９】
また、本発明の一態様に係る空気調和装置の調整方法は、上記の空気調和装置の調整方法であって、前記空気調和装置が設置される設置個所の環境に応じて、前記還流用孔閉塞部による前記還流用孔部の閉塞面積を決定する工程と、該決定した前記還流用孔部の閉塞面積となるように、前記還流用孔閉塞部によって前記還流用孔部の少なくとも一部を閉塞する工程と、を含むものであっても良い。
【００２０】
空調装置の設置室内環境に応じて、還流用孔部を通る熱交換器側領域から送風機側領域への還流量を調整することで、設置室内環境に応じた吹き出し風量とすることができる。
【００２１】
本発明の一態様に係る空気調和設備の製造方法は、上記の空気調和装置の調整方法によって、上記の空気調和装置を調整する工程と、前記空気調和装置を設置個所に設置する工程と、を含むものであっても良い。
【００２２】
この構成によれば、空調装置の設置時等に、直吹き出し口である室内空調用開口部と、局所空調用吹き出し口であるスポット用開口部とから、吹き出し方法を何れか一方又は両方を選択し、選択に応じて、還流用孔部の開口面積を調整することで、風量を設置時に簡易に調整することができる。製品設計の段階で、吹き出し方法と風量を一義に設定しておく必要がない。設計段階では、必要風量が最大となる吹き出し方法に合わせて、効率の良い送風機を選択しておけば良く、設置時に、必要風量が小さくてよい吹き出しを選択したい場合、設置時に還流用孔部を調整するだけで風量を変更することができる。設置時に簡易に風量調整が可能となり、設計製造コストを削減することができる。
【００２３】
また、本発明の一態様に係る空気調和装置の調整方法は、上記の空気調和装置の調整方法であって、前記空気調和装置が設置される設置個所の環境に応じて、前記スポット用開口部の閉塞面積を決定する工程と、該決定した前記スポット用開口部の閉塞面積となるように、スポット用開口閉塞部によって前記スポット用開口部の少なくとも一部を閉塞する工程と、スポット用開口部の閉塞面積を大きくする程、前記還流用孔部の閉塞面積を小さくするといった相関関係に基づいて、前記決定したスポット用開口部の閉塞面積に応じて前記還流用孔部の閉塞面積を決定する工程と、該決定した前記還流用孔部の閉塞面積となるように、前記還流用孔閉塞部によって前記還流用孔部の少なくとも一部を閉塞する工程と、
を含むものであってもよい。
【００２４】
空調装置の設置室内環境に応じて、スポット用開口部の閉塞面積を決定し、さらに、当該閉塞面積に応じて還流用孔部を通る熱交換器側領域から送風機側領域への還流量を調整することで、設置室内環境に応じた吹き出し風量とすることができる。
【００２５】
本発明の一態様に係る空気調和設備の製造方法は、上記の空気調和装置の調整方法によって、上記の前記空気調和装置を調整する工程と、前記空気調和装置を設置個所に設置する工程と、を含むものであってもよい。
【発明の効果】
【００２６】
本発明の空気調和装置、空気調和装置の調整方法及び空気調和設備の製造方法によれば、簡易な手段により風量を調整することができる。
【図面の簡単な説明】
【００２７】
【図１】第一実施形態の天吊形空気調和装置を下方斜めから見た斜視図である。
【図２】第一実施形態の天吊形空気調和装置の縦断面図である。
【図３】第一実施形態の天吊形空気調和装置の正面図であって、２つのスポット用開口部のうちの１つのみを閉塞した状態を示す図である。
【図４】第一実施形態の天吊形空気調和装置における仕切り板の第一仕切り面の正面図である。
【図５】第一実施形態の天吊形空気調和装置を設置した空気調和設備の製造方法の手順を示すフローチャートである。
【図６】第二実施形態の天吊形空気調和装置を設置した空気調和設備の製造方法の手順を示すフローチャートである。
【図７】第二実施形態の天吊形空気調和装置の正面図であって、２つのスポット用開口部のうちの両方を閉塞した状態を示す図である。
【発明を実施するための形態】
【００２８】
以下、本発明の第一実施形態について、図１〜５を参照して説明する。
図１及び図２に示すように、本実施形態の天吊形空気調和装置（空気調和装置）１は、筐体１０、スポット用開口閉塞部７０、スポットダクト８０、熱交換器２０、送風機３０、コントロールボックス４０、仕切り板５０、還流用孔閉塞部６０を備えている。
【００２９】
筐体１０は、直方体形状の箱型をなしており、天井に沿って延在する上面１１と、該上面１１の縁部からそれぞれ下方に向かって延在して四方を囲む前面１２、後面１３及び一対の側面１４，１４と、上面１１の下方に間隔をあけて配置されて前面１２、後面１３及び一対の側面１４，１４と接続される下面１５とを有している。
なお、本実施形態では、後面１３は例えば壁面に沿うように配置されており、即ち、天吊形空気調和装置１は、部屋の天井面と壁面が交わる角部に配置されている。
【００３０】
図３に示すように、筐体１０の前面１２には吹き出し口（室内空調用開口部）１２ａが形成されている。この吹き出し口１２ａは、水平方向に延びて上下に複数が形成されたスリットから形成されており、筐体１０の内外を連通させている。この吹き出し口１２ａからは、室内空調用の空気、即ち、室内全体を冷暖房するための空気が排出される。
また、筐体１０の前面１２における吹き出し口１２ａの延在方向の両端側には、スポット用開口部１２ｂ，１２ｂが形成されている。換言すれば、これらスポット用開口部１２ｂ，１２ｂによって水平方向から挟まれるようにして吹き出し口１２ａが形成されている。これらスポット用開口部１２ｂ，１２ｂは、冷暖局所空調を行うための開口である。
【００３１】
さらに、筐体１０の下面１５には、吸込み口１５ａが形成されている。この吸込み口１５ａは、下面１５における後面１３に片寄った部分に形成されており、室内空気は吸込み口１５ａを介して塵埃等を除去する図示しないフィルタを通って、筐体１０内へ導入される。
【００３２】
熱交換器２０は、図２に示すように、筐体１０の内側における筐体１０の前面１２側に寄った箇所に配設され、筐体１０の上面１１から下面１５に向かって斜めに設けられている。
熱交換器２０は、冷凍サイクルの一部を構成し、熱交換器２０に接続される冷媒配管は筐体１０の外部に導出され、図示しない室外機の圧縮機、減圧装置、室外熱交換器等に接続される。
【００３３】
送風機３０は、筐体１０の内側における熱交換器２０より筐体１０の後面１３側に寄った箇所に配置されている。この送風機３０は、図示しない電動機によって、筐体１０の一対の側面１４，１４の対向方向に延びる軸線回りに回転駆動されるファン３１を備えている。このファン３１により、筐体１０内の後面１３側及び送風機３０の下方の空気が、筐体１０内の前面１２側に向かって送風される。なお、送風機３０は、ファン３１を覆うケーシング３２を有している。該ケーシング３２の背面側及び下面側には、該ケーシング３２の前面側には、ファン３１による送風が排出される送風口３３が形成されている。
【００３４】
コントロールボックス４０は、熱交換器２０と送風機３０との空気の流れを遮らない位置に配置されている。本実施形態では、このような位置として、筐体１０の内側において該筐体１０の後面１３に固定されるように設けられている。このコントロールボックス４０には、天吊形空気調和装置１に組み込まれた各種機器の制御を行う制御部が格納されている。
【００３５】
仕切り板５０は、筐体１０の内側の空間を熱交換器２０が配置された熱交換器側領域Ｒ１と、送風機３０が配置された送風機側領域Ｒ２との２つの空間に区画する。
【００３６】
仕切り板５０は、筐体１０の上面１１から、下面１５に向かって板状に延びる第１仕切り面５１と、第１仕切り面５１の下部から筐体１０の前面１２側へ向かって延びる第２仕切り面５２とを備える。第１仕切り面５１の下端は筐体１０の下面１５と接触しておらず第２仕切り面５２と接続している。そのため、仕切り板５０は図２に示すように、側面１４，１４視にて略Ｌ字型の形状となる。第２仕切り面５２は、筐体１０の下面１５に設けられた吸込み口１５ａと上下方向に対向する。なお、本実施形態では、第２仕切り面５２の前端は、下方に向かって折れ曲がるように形成されており、折れ曲がった部分の下端が筐体１０の下面１５に接触している。
【００３７】
ここで、図２及び図４に示すように、仕切り板５０の第１仕切り面５１には、送風用孔部５１ａと還流用孔部５１ｂとが形成されている。
【００３８】
送風用孔部５１ａは、送風機３０の送風を熱交換器側領域Ｒ１に導入するための開口であって、第１仕切り面５１を前後に貫通している。この送風用孔部５１ａは、筐体１０の幅方向、即ち、一対の側面１４，１４の対向方向に延在する矩形状をなしており、第１仕切り面５１の上側に寄った位置に形成されている。本実施形態では、送風機３０のケーシング３２における送風口３３の前端が第１仕切り面５１に背面側から接触しており、この際、送風口３３の内側に送風用孔部５１ａが収まっている。これによって、送風口３３から送風される空気の全てが、送風用孔部５１ａを介して熱交換器側領域Ｒ１へと導入される。
【００３９】
還流用孔部５１ｂは、第１仕切り面５１における送風用孔部５１ａよりも下方に形成されており、該送風用孔部５１ａと同様に筐体１０の幅方向に延在する矩形状をなしている。この還流用孔部５１ｂは、熱交換器側領域Ｒ１と、送風機側領域Ｒ２における送風機３０の下方の空間とを連通させている。これによって、還流用孔部５１ｂを介して送風機側領域Ｒ２に還流される空気は再び送風機３０に吸い込まれる。
なお、還流用孔部５１ｂは、矩形状に限られず、例えば円形や楕円形、角形状等、いかなる形状であってもよい。  
また、送風機３０が上方から空気を吸い込むのならば、還流用孔部５１ｂを送風用孔部５１ａの上方に形成してもよい。
【００４０】
還流用孔閉塞部６０は、第１仕切り面５１に沿う板状部材である。還流用孔閉塞部６０は、仕切り板５０の熱交換器側領域Ｒ１に配設される。
この還流用孔閉塞部６０は、還流用孔部５１ｂの少なくとも一部を閉塞する。即ち、還流用孔閉塞部６０は、還流用孔部５１ｂの閉塞面積を任意に変更できるように構成されている。所定の閉塞面積となるように還流用孔部５１ｂの少なくとも一部を閉塞する還流用孔閉塞部６０は、たとえばねじ止め固定されていてもよいし、接着剤等のその他の固定手段によって固定されていてもよい。また、一旦、閉塞面積を定めた後に該閉塞面積を容易に変更できるように、第１仕切り面５１に対してスライド可能に設けられていてもよい。
【００４１】
スポット用開口閉塞部７０は、図１及び図３に示すように、スポット用開口部１２ｂ，１２ｂを閉塞可能な板材であって、本実施形態では正面から見て左側のスポット用開口部１２ｂを閉塞するように固定されている。
スポットダクト８０は、可撓性を有する材料から形成された蛇腹筒状の部材であって、本実施形態では、正面から見て道側のスポット用開口部１２ｂに一端が連通状態で接続されるように設けられている。このスポットダクト８０は、室内で可動させることができるため、室内の発熱源の近傍に局所的に冷気又は暖気を送ることができる。天吊形空気調和装置１の天井付近からの直吹き出しだけでなく、冷暖局所空調が可能である。
【００４２】
次に本実施形態の天吊形空気調和装置１を部屋の設置個所に設置した空気調和設備の構築方法（製造方法）について、図５に示すフローチャートを用いて説明する。
本実施形態の空気調和設備の構築方法では、図５に示すように、まず上記構成の天吊形空気調和装置１を準備する（ステップＳ１）。
【００４３】
次に、天吊形空気調和装置１の調整を行う（ステップＳ２）。この調整作業は、還流用孔部５１ｂの閉塞面積を決定する工程（ステップＳ２１）と、還流用孔部５１ｂを閉塞する工程（ステップＳ２２）とを含む。
【００４４】
ステップＳ２１では、天吊形空気調和装置１の設置される環境に応じて還流用孔部５１ｂの閉塞面積を決定する。ここで、設置される環境とは、設置室の温湿度や、熱負荷、これに応じて要求される空調機能力、設置室で局所空調が必要とされているかどうか、これに応じて要求されるスポットダクト８０の長さや径、材質等のスポットダクト８０流路における損失等、及びスポットダクト８０の個数等に関するものである。これら設置される環境に応じて、空気調和装置１に要求される吹き出し風量が推定される。
【００４５】
例えば、設置される環境Ａとして、熱負荷が大きく、局所空調が必要とされており、空調機の設置位置から局所空調の必要な位置が遠い場合、スポットダクト８０の長さは長くなる。また、局所空調が必要な箇所が広範な場合はスポットダクト８０径が大きくなる。
【００４６】
例えば、設置される環境Ｂとして、熱負荷が小さく、局所空調が必要とされており、空調機の設置位置から局所空調の必要な位置が近い場合、スポットダクト８０の長さは短くなる。また、局所空調が必要な箇所が狭い範囲である場合はスポットダクト８０径が小さくなる。
【００４７】
ここで、設置される環境Ａの場合は、設置される環境Ｂの場合に比べ、空気調和装置１に要求される吹き出し風量は大きく推定される。この場合、設置される環境Ａの場合は、設置される環境Ｂの場合に比べ、還流用孔部５１ｂの閉塞面積は大きく決定される。
【００４８】
続いて、ステップＳ２２では、ステップＳ２２での閉塞面積の決定に基づき、当該閉塞面積となるように、還流用孔閉塞部６０によって還流用孔部５１ｂの少なくとも一部を閉塞する。これによって、天吊形空気調和装置１の調整作業が終了する。
【００４９】
その後、天吊形空気調和装置１を設置個所に設置する（ステップＳ３）。これによって、天吊形空気調和装置１を用いた空気調和設備の構築方法の手順が終了する。
【００５０】
上記構成の空気調和装置１では、送風機３０の電動機の回転駆動により、筐体１０の下面１５に形成された吸込み口１５ａの開口面付近における送風機側領域Ｒ２が負圧となり、吸込み口１５ａから室内空気が筐体１０内の送風機側領域Ｒ２へ吸い込まれる。
【００５１】
天吊形空気調和装置１は、筐体１０の上面１１は天井に沿い、後面１３は壁面に沿う配置となるため、下面１５が空調対象室の室内空間に広く面しており、この下面１５に吸込み口１５ａを設けることで吸い込みやすくなる。また、この吸込み口１５ａに対して、送風機３０を挟まずに面することとなる第２仕切り面５２に、還流用孔部５１ｂが設けられていた場合、還流用孔部５１ｂでは還流方向とは逆向きの、吸込み空気による送風機側領域Ｒ２から熱交換器側領域Ｒ１へ空気の移動が起こりやすく、還流量が確保しにくく、還流効率が悪くなる。
【００５２】
吸込み口１５ａから塵埃等を除去する図示しないフィルタを通って、送風機側領域Ｒ２へ導入された室内空気は、ファン３１の回転によって送風口３３及び送風用孔部５１ａを通過して、送風機側領域Ｒ２から熱交換器側領域Ｒ１へと送風される。
【００５３】
熱交換器側領域Ｒ１へと送風された空気は、熱交換器側領域Ｒ１にて、熱交換器２０を介して、室内空調に必要な熱量を持つ空調空気へと変換され、吹き出し口１２ａから室内へと供給される。
【００５４】
還流用孔部５１ｂの一部のみが閉塞されている場合、熱交換器側領域Ｒ１へと送風された空気の一部は、還流用孔部５１ｂを通って送風機側領域Ｒ２へと還流される。その後、還流された空気は、再び送風機３０によって吸い込まれて、送風口３３及び送風用孔部５１ａを介して熱交換器側領域Ｒ１に導入される。
【００５５】
このような還流が行われることにより、還流が発生しない場合に比べ、吹き出し口１２ａからの吹き出し風量が減少する。これによって、ファン３１の回転数等を制御することなく、当該ファン３１が一定速回転の簡易な構成であっても、吹き出し口１２ａからの必要な吹き出し風量を確保することができる。
【００５６】
また、上記の空気調和設備の構築方法によれば、設置個所の環境に応じて推定される必要な吹き出し風量を確保することができる。
設置される環境Ａの場合のように、設置される環境Ｂの場合に比べ、設置室環境として必要な吹き出し風量が大きい場合は、還流用孔部５１ｂの閉塞面積を大きくすることで、熱交換器側領域Ｒ１から送風機領域Ｒ２への還流量を減らすことができる。これによって、還流量が減り、熱交換器側領域Ｒ１からの吹き出し風量・風圧を大きくすることが出来る。したがって、簡易な構成で容易に風量を調整することが可能である。
即ち、設置個所の環境に応じて、還流用孔部５１ｂの閉塞面積を設定することで、室内空調及び局所空調のいずれかを支配的とするかを容易に設定することができる。
【００５７】
次に、本発明の第二実施形態の空気調和設備の構築方法について、図６に示すフローチャートを示して説明する。本実施形態では、第一実施形態と同様の構成要素には、同一の符号を付して詳細な説明を省略する。
【００５８】
本実施形態では、スポット用開口部１２ｂ，１２ｂの閉塞面積に応じて還流用孔部５１ｂの閉塞面積を設定する点で第一実施形態と相違する。
図６に示すように、本実施形態でも第一実施形態同様、まず上記構成の空気調和装置１を準備する（ステップＳ１）。
【００５９】
次に、空気調和装置１の調整を行う（ステップＳ１２）。この調整作業は、スポット用開口部１２ｂ，１２ｂの閉塞面積を決定する工程（ステップＳ１２１）と、スポット用開口部１２ｂ，１２ｂを閉塞する工程（ステップＳ１２２）と、還流用孔部５１ｂの閉塞面積を決定する工程（ステップＳ１２３）と、還流用孔部５１ｂを閉塞する工程（ステップＳ１２４）とを含む。
【００６０】
ステップ１２１では、天吊形空気調和装置１の設置される環境に応じて、スポット用開口部１２ｂ，１２ｂの閉塞面積を決定する。  
ここで、設置される環境とは、設置室の温湿度や、熱負荷、これに応じて要求される空調機能力、設置室で局所空調が必要とされているかどうか、これに応じて要求されるスポットダクト８０の長さや径、材質等のスポットダクト８０流路における損失、及びスポットダクト８０の個数等に関するものである。これら設置される環境に応じて、空気調和装置１に要求される吹き出し風量が推定される。
【００６１】
例えば、設置される環境Ｃとして、熱負荷が大きく、局所空調が必要とされており、スポットダクト８０の必要な個数は１つであり、空調機の設置位置から局所空調の必要な位置が遠い場合、スポットダクト８０の長さは長くなり、局所空調が必要な箇所が広範な場合はスポットダクト８０径が大きくなる。
【００６２】
また、設置される環境Ｄとして、熱負荷が小さく、局所空調が必要とされていない場合は、設置される環境Ｃに比べ、必要な吹き出し風量・風圧は小さくなる。
【００６３】
設置される環境Ｃの場合であって、本実施形態の天吊形空気調和装置１のようにスポット用開口部１２ｂ，１２ｂが複数あるとき、スポット用開口部１２ｂ，１２ｂの必要な個数の１つを残し、その他のスポット用開口部１２ｂを閉塞するための閉塞面積が決定される。
【００６４】
設置される環境Ｄの場合、図７にスポット用開口部１２ｂ，１２ｂの全てを閉塞するための閉塞面積が決定される。
【００６５】
ステップＳ１２２では、ステップＳ１２１で決定した閉塞面積となるように、スポット用開口閉塞部７０によってスポット用開口部１２ｂ，１２ｂを閉塞するものである。
【００６６】
設置される環境Ｃの場合は、図３に示すように、吹き出し口１２ａの両端部にある２つのスポット用開口部１２ｂ，１２ｂのうち、１つのスポット用開口部１２ｂ，１２ｂを１つのスポット用開口閉塞部７０によって閉塞する。
【００６７】
設置される環境Ｄの場合は、図７に示すように、吹き出し口１２ａの両端部にある２つのスポット用開口部１２ｂ，１２ｂを閉塞するため、２つのスポット用開口閉塞部７０を用いる。
【００６８】
ステップＳ１２３は、スポット用開口部１２ｂ，１２ｂの閉塞面積に応じて還流用孔部５１ｂの閉塞面積を決定するものである。
【００６９】
設置される環境Ｄの場合は、スポットダクト８０は不要であり、設置される環境Ｃの場合に比べ、スポット用開口部１２ｂ，１２ｂの閉塞面積は大きい。この場合、設置される環境Ｄは、設置される環境Ｃに比べ、天吊形空気調和装置１に要求される吹き出し風量・風圧は小さく推定され、還流用孔部５１ｂ１０２の閉塞面積は小さく決定される。
【００７０】
なお、還流用孔部５１ｂの閉塞面積の決定は、スポット用開口部１２ｂ，１２ｂの閉塞面積を大きくする程、前記還流用孔部５１ｂの閉塞面積を小さくするといった相関関係に基づいて行われる。即ち、スポット用開口部１２ｂ，１２ｂの閉塞面積の大小関係と、還流用孔部５１ｂの閉塞面積の大小関係とは、負の相関関係をもっており、ステップＳ１２１にて決定されたスポット用開口部１２ｂ，１２ｂの閉塞面積に応じて還流用孔部５１ｂの閉塞面積が決定される。
【００７１】
ステップＳ１２４では、ステップＳ１２３で決定した還流用孔部５１ｂの閉塞面積となるように、還流用孔閉塞部６０によって還流用孔部５１ｂを閉塞する。
【００７２】
設置される環境Ｄの場合は、設置される環境Ｃの場合に比べ、工程Ｃで決定した閉塞面積に応じて、還流用孔部５１ｂの閉塞面積が小さくなるように、還流用孔閉塞部６０によって還流用孔部５１ｂを閉塞する。
【００７３】
その後、天吊形空気調和装置１を設置個所に設置する（ステップＳ３）。これによって、天吊形空気調和装置１を用いた空気調和設備の構築方法の手順が終了する。
【００７４】
以上のように構築された空気調和設備においては、設置される環境Ｃの方が設置される環境Ｄよりもスポット用開口部１２ｂ，１２ｂの閉塞面積が小さく還流用孔部５１ｂの閉塞面積が大きい。この場合、室内空調よりも局所空調の方が支配的となる。一方で、設置される環境Ｄは、室内空調が支配的となる。
したがって、本実施形態によっても第一実施形態同様、スポット用開口部１２ｂ，１２ｂの閉塞面積に基づいて還流用孔部５１ｂの閉塞面積を設定することにより、室内空調及び局所空調のいずれかを支配的とするかを容易に設定することができる。
【００７５】
以上、本発明の実施の形態について図面を参照して詳述したが、具体的な構成はこの実施の形態に限られるものではなく、本発明の要旨を逸脱しない範囲の設計変更等も含まれる。
【００７６】
なお、上記実施の形態では、空気調和装置１をその使用室に設置し、使用可能な状態にしたものを空気調和設備として表現しているが、室外機との接続工程等、その他の工程を経たものでもよい。
【００７７】
また、送風機３０は一つを設けるのみならず複数を設けてもよい。この場合、送風用孔部５１ａは送風機３０の数に対応して複数形成される。また、この場合、還流用孔部５１ｂを複数設けてもよい。そのうち一部の還流用孔部５１ｂのみを閉塞する構成としてもよい。
【００７８】
加えて、第一、第二実施形態では、天吊形空気調和装置１の準備をした後に天吊形空気調和装置１の調整を行い、次いで天吊形空気調和装置１を設置したが、天吊形空気調和装置１を設置した後に天吊形空気調和装置１の調整を行ってもよい。
【００７９】
さらに、第二実施形態では、スポット用開口部１２ｂ，１２ｂの閉塞面積を決定した後に還流用孔部５１ｂの閉塞面積を閉塞し、次いで、スポット用開口部１２ｂ，１２ｂと還流用孔部５１ｂとを閉塞してもよい。
即ち、第一、第二実施形態では各工程の順序が入れ替わってもよい。
【符号の説明】
【００８０】
１     天吊形空気調和装置（空気調和装置）
１０   筐体
１１   上面
１２   前面
１２ａ 吹き出し口（室内空調用開口部）
１２ｂ スポット用開口部
１３   後面
１４   側面
１５   下面
１５ａ 吸込み口
２０   熱交換器
３０   送風機
３１   ファン
３２   ケーシング
３３   送風口
４０   コントロールボックス
５０   仕切り板
５１   第１仕切り面
５１ａ 送風用孔部
５１ｂ 還流用孔部
５２   第２仕切り面
６０   還流用孔閉塞部
７０   スポット用開口閉塞部
８０   スポットダクト
Ｒ１   熱交換器側領域
Ｒ２   送風機側領域
【図１】
2016099034.tif 000003
【図２】
2016099034.tif 000004
【図３】
2016099034.tif 000005
【図４】
2016099034.tif 000006
【図５】
2016099034.tif 000007
【図６】
2016099034.tif 000008
【図７】
2016099034.tif 000009